(57)【要約】      （修正有）【課題】多様な形態で、かつ、付加価値が得られる漆宝飾品やアクセサリーを製作できる宝飾体を提供する。【解決手段】水晶原石から所定の形と大きさの球体加工をして成る水晶玉４を作り、その水晶玉４に、中心部を通る穴あけ加工による通し穴６を設けた水晶玉４を形成するとともに、その水晶体に表面処理加工して後、漆塗装８と乾燥工程を数回繰り返すことで、水晶玉４の表面に所望する厚さの漆塗膜１０を形成して成る漆水晶宝飾体１とする。【選択図】図１
0003149952.tif 000002
【実用新案登録請求の範囲】
【請求項１】
水晶の表面に漆塗装をして成る宝飾体であって、前記する水晶から所定の形状と大きさの水晶玉を作り、該水晶玉に、中心部を通る通し穴を設けて成る前記水晶玉の表面に、漆塗装による漆塗膜を形成して成る構成を特徴とする漆水晶宝飾体。
【請求項２】
前記する漆塗膜を形成した任意部を、水晶玉の一部が見えるまで研ぎ出して成る請求項１に記載する漆水晶宝飾体。
【考案の詳細な説明】
【技術分野】
【０００１】  本考案は、水晶を所定の形と大きさに加工した表面に漆塗装を施すことで、多様な形態で、かつ、付加価値が得られる漆宝飾品やアクセサリーを製作できる宝飾体に関する。
【背景技術】
【０００２】  従来より、身体に付ける宝飾品としては、ブレスレットやネックレスなど様々な宝飾品やアクセサリーがあり、その中で漆塗装したものは木材を主とし、ガラスや金属、樹脂素材などに塗布したアクセサリーがある。【０００３】  さらに、木材加工による母珠と子珠に貫通孔を設けた表面に漆塗装し、それを複数個を糸で環状に連結した数珠などの技術も開示されている。（例えば、特許文献１参照）
【特許文献１】特開２００４−２０９２３
【考案が解決しようとする課題】
【０００４】  前記するような、漆塗装した宝飾品やアクセサリーを製作する場合は、素材によっては熟練者でなくては難しいことも多く、特に素材が木材の場合は木の硬さや種類の選択も大事な要素であり、乾燥も長期間必要とするなど手間も掛るため安定して供給できないなどの不便や欠点もある。
【０００５】  また、特開２００４−２０９２３に開示される技術は、比較的安価な木材を素材としているが、連結する貫通孔を空ける際に欠けたり、また木目の入り方によっては穴が真っすぐに空けられなかった。さらに、塗装する際の下地処理に手間を必要とすることはもとより、漆の塗膜を厚くしたり乾燥にも時間を掛けないと剥がれやすい上、軽い木材などで製品化した場合、安っぽくなるなどの欠点や不便があった。
【課題を解決するための手段】
【０００６】  本考案は、前記するような従来のもつ不便や欠点を解消するために、請求項１においては、水晶の表面に漆塗装を施して成る宝飾体であって、前記する水晶から所定の形状と大きさの水晶玉を作り、該水晶玉に、中心部を通る通し穴を設けた前記水晶玉の表面に、漆塗装による漆塗膜を形成することで、その漆水晶宝飾体の大小、形、色などの異なるものの組み合わせで、所望するブレスレットやネックレス、イヤリング、指輪、数珠などの漆宝飾品を容易に製作できるものとする。
【０００７】  請求項２においては、前記する漆塗膜を形成した任意部を、水晶玉の一部が見えるまで研ぎ出すことで、漆塗膜面に研ぎ出した水晶玉が現われる美しいデザインを創出できる漆宝飾品とする。
【考案の効果】
【０００８】  本考案による漆水晶宝飾体は、適度な硬さと重量のある水晶玉であるとともに、その水晶玉に中心部を通る通し穴を設け、かつ、表面には漆塗装による漆塗膜を施した宝飾体を形成するので、従来にはみられないユニークで貴重性ある宝飾素材となる。
【０００９】  よって、漆水晶宝飾体の大小、形、色など異なる中から、好みや目的に応じて漆水晶宝飾体を組み合わせるだけで、所望するブレスレットやネックレス、イヤリング、指輪、数珠などを容易に製作できるので、製作コストの低減、素材供給の安定化を図れるとともに、例えば、塗装が黒漆などの場合は、あたかも黒サンゴや黒蝶貝による宝玉のような風合いを得る宝飾体となる。
【００１０】  さらに第２実施形態によるタイプは、漆塗膜で被覆された一部又は複数箇所を研ぎ出すことで、水晶玉の一部又は複数箇所が見えるデザイン宝飾体となるので、その美しさと趣は、他の宝飾体では得られない多様なニーズにも応えられるものとなる。
【００１１】  加えて、水晶に漆を塗膜すると言う極めてユニークな発想による宝飾素材を形成するので、従来では考えられなかった漆の高級感あふれる宝飾品やアクセサリーとして安価にして安定的に供給できる漆宝飾体を広く提供できる。
【考案を実施するための最良の形態】
【００１２】  本考案による漆水晶宝飾体の第１実施形態を、図１に示す塗膜の一部を剥離した斜視図と図２に示す拡大断面図、図３の漆水晶宝飾体を用いたブレスレットの参考図及び図４に示す漆水晶宝飾体の加工工程を示す基本ブロック図で説明する。【００１３】  本考案による漆水晶宝飾体１は、まず、水晶原石２から直径約６〜１２ミリメートル程度の大きさの球体もしくは扁平球体、略立方球体（以下、玉と称す）を球体加工３による水晶玉４を作る。【００１４】  次に、所定の大きさに加工した水晶玉４に、中心部を通る穴あけ加工５による通し穴６を設けた水晶玉４を加工した上で、その表面を滑らかに磨くか又はつや消し等の表面処理加工７を施す。【００１５】  以上のような表面処理加工７を施した外表面に漆の下地塗りをしてから乾燥させるとともに、本漆もしくはカシュウ漆による漆塗装８と乾燥９工程を数回繰り返して、水晶玉４の表面に所望する約０，２〜０，５ミリメートル前後の厚さの漆塗膜１０を形成して成る漆水晶宝飾体１を構成する。【００１６】  尚、前記する漆塗装８の色は、黒色はもとより、他のいずれの色を採用してもよいものである。【００１７】  本実施形態による漆水晶宝飾体１は、通し穴６加工を施した水晶玉４に表面処理加工７を施し、その表面に本漆もしくはカシュウ漆で成る漆塗装８による漆塗膜１０を施した漆水晶宝飾体１を形成するので、後は、漆水晶宝飾体１の数や大小の組み合わせによって、図３に示すように紐１１で連結するだけでブレスレット１２やネックレス、指輪、イヤリング、数珠などの宝飾品を容易に形成できるものとなる。【００１８】  本考案による漆水晶宝飾体の第２実施形態を、図５に示す側面図と図６に示すＡ−Ａ部の要部拡大図で説明する。
第２実施形態による漆水晶宝飾体１は、漆塗膜１０を形成した一部を研いで水晶体４が見えるタイプである。まず、前記第１実施形態に示すように通し穴６加工を施した水晶玉４の表面に漆塗装８による漆塗膜１０を形成し、その漆塗膜１０面の任意部を、例えば、図５に示すように、垂直な通し穴６から一番遠い外周部を、平らな研ぎ部材Ｂを直角に当てて、内部の水晶玉４の一部が見えるまで研いで成る漆水晶宝飾体１を形成する。【００１９】  以上のように漆塗膜１０の一部を研ぐと、図６の拡大図に示すように僅かな研ぎ出し漆塗膜１０ａとともに研ぎ出し水晶玉４ａ部が現われる漆水晶宝飾体１を構成する。尚、漆塗膜１０を研ぐ箇所や向き、数、深さは任意でよいものである。【００２０】  第２実施形態は以上のような漆水晶宝飾体１であるので、全体が漆塗膜１０で成る任意部に水晶玉４の一部が現われるので、前記第１実施形態とは異なるユニークな形態を成し、また、その研ぎ出す箇所や数、向きなどにより様々な形態のデザインを創出できる。【００２１】  本考案による水晶玉４の形状は球体を図示説明しているが、扁平球状はもとより略円筒球状や角型球状いずれであってもよい。さらに宝飾品によっては、大小の漆水晶宝飾体１を組み合わせてもよく、それらを連結する紐１１の素材も丈夫なものであれば素材を選ばない。さらに加工工程における漆塗膜１０の厚さや通し穴６の大きさも任意でよい。加えて、第２実施形態における研ぎ部材Ｂは平板を用いているが、研ぎ部材の形状及び研ぎ方は特定されるものではなく、いずれも特に限定されるものではない。
【図面の簡単な説明】
【００２２】
【図１】本考案の漆水晶宝飾体の第１実施形態を示す一部を剥離した斜視図である。
【図２】本考案の漆水晶宝飾体の第１実施形態を示す拡大断面図である。
【図３】本考案による第１実施形想の漆水晶宝飾体を用いたブレスレットの参考斜視図である。
【図４】本考案の第１実施形態による漆水晶宝飾体の加工工程を示す基本ブロック図である。
【図５】本考案の漆水晶宝飾体の第２実施形態を示す側面図である。
【図６】本考案の漆水晶宝飾体の第２実施形態を示すＡ−Ａ部の要部拡大図である。
【符号の説明】
【００２３】１  漆水晶宝飾体
２  水晶原石
３  球体加工
４  水晶玉
４ａ  研ぎ出し水晶玉
５  穴あけ加工
６  通し穴
７  表面処理加工
８  漆塗装
９  乾燥
１０  漆塗膜
１０ａ  研ぎ出し漆塗膜
１１  紐
１２  ブレスレット
Ｂ  研ぎ部材
【図１】
0003149952.tif 000003
【図２】
0003149952.tif 000004
【図３】
0003149952.tif 000005
【図４】
0003149952.tif 000006
【図５】
0003149952.tif 000007
【図６】
0003149952.tif 000008